(57)【特許請求の範囲】
【請求項１】
ポンプシェルと該ポンプシェルに取り付けられたポンプブレードと該ポンプブレードに取り付けられたポンプコアとを含むポンプインペラと、タービンシェルと該タービンシェルに取り付けられたタービンブレードと該タービンブレードに取り付けられたタービンコアとを含むタービンランナと、ステータブレードを含むと共に前記タービンランナから前記ポンプインペラへの作動流体の流れを整流するステータとを備えた流体式トルク伝達装置において、
タービンブレード出口端点と隣接するブレード外郭線とに内接する内接円の中心における作動流体の流れの角度は、タービンブレード入口端点と隣接するブレード外郭線とに内接する内接円の中心における作動流体の流れの角度よりも小さく、
前記タービンランナの流体出口側で前記タービンブレードの前記タービンシェル側の外郭線と該タービンブレードの前記タービンコア側の内郭線の内周端とに内接する内接円の半径は、該タービンランナの流体入口側で前記外郭線と前記内郭線の外周端とに内接する内接円の半径よりも大きく、
前記タービンブレードの前記外郭線は、前記タービンランナの前記流体出口側で前記ポンプブレードの前記ポンプシェル側の外郭線よりも前記ポンプインペラおよび前記タービンランナの回転軸心の延在方向に膨らんでいることを特徴とする流体式トルク伝達装置。
【請求項２】
請求項１に記載の流体式トルク伝達装置において、
互いに対向する前記ポンプブレードの流体出口外周端と前記タービンブレードの流体入口外周端との間の中央と前記ポンプインペラおよび前記タービンランナの回転軸心とを通ると共に該回転軸心と直交する装置中心線から該タービンブレードの前記回転軸心の延在方向に最も遠い最遠部までの長さが前記装置中心線から該ポンプブレードの前記回転軸心の延在方向に最も遠い最遠部までの長さよりも長くなるように構成されることを特徴とする流体式トルク伝達装置。
【請求項３】
請求項２に記載の流体式トルク伝達装置において、
前記タービンブレードの前記外郭線は、前記流体出口外周端と前記流体入口外周端とが対向する状態で前記タービンブレードを前記装置中心線と前記回転軸心とを含む平面に投影したときの該タービンブレードの投影像における前記タービンシェル側の外縁であり、
前記タービンブレードの前記内郭線は、該タービンブレードを前記平面に投影したときの前記投影像における前記タービンコア側の内縁であり、
前記ポンプブレードの前記外郭線は、該ポンプブレードを前記平面に投影したときの該ポンプブレードの投影像における前記ポンプシェル側の外縁であることを特徴とする流体式トルク伝達装置。
【請求項４】
請求項１から３の何れか一項に記載の流体式トルク伝達装置において、
前記ポンプインペラの流体入口における前記ポンプブレードの取付角度と該ポンプインペラの流体出口における該ポンプブレードの取付角度との差は、前記タービンランナの流体入口における前記タービンブレードの取付角度と該タービンランナの流体出口における該タービンブレードの取付角度との差よりも小さいことを特徴とする流体式トルク伝達装置。
【請求項５】
請求項１から４の何れか一項に記載の流体式トルク伝達装置において、
前記タービンブレードの前記外郭線は、前記ポンプブレードの前記外郭線と対称をなす対称領域と該ポンプブレードの該外郭線と対称をなさない非対称領域とを有しており、前記対称領域は、前記タービンブレードの流体入口外周端を含み、前記非対称領域は、前記タービンブレードの流体出口内周端を含むことを特徴とする流体式トルク伝達装置。
【請求項６】
請求項５に記載の流体式トルク伝達装置において、
前記出口外周端と前記入口外周端とが対向する状態で前記ポンプブレードおよび前記タービンブレードを前記装置中心線と前記ポンプインペラおよび前記タービンランナの前記回転軸心とを含む平面に投影したときに、前記ポンプブレードの投影像と前記タービンブレードの投影像とは、前記ポンプシェル側または前記タービンシェル側の外縁部に曲率変化点をそれぞれ少なくとも一つ含み、前記タービンブレードの投影像における最外周側の曲率変化点から一定の曲率をもって延びる前記タービンシェル側の外縁部である投影タービン外縁部は、前記ポンプブレードの投影像における最外周側の曲率変化点から一定の曲率をもって延びる前記ポンプシェル側の外縁部である投影ポンプ外縁部に比べて小さい曲率半径を有すると共に、前記投影タービン外縁部の曲率中心は、前記投影ポンプ外縁部の曲率中心よりも前記回転軸心側に位置することを特徴とする流体式トルク伝達装置。
【請求項７】
請求項５または６に記載の流体式トルク伝達装置において、
前記タービンブレードの投影像における外周側からｎ番目（ただし“ｎ”は値２以上の整数である）の曲率変化点からｎ＋１番目の曲率変化点または前記タービンブレードの投影像における流体出口内周端までの前記タービンシェル側の外縁部である第ｎ投影タービン外縁部は、前記ポンプブレードの投影像における外周側からｎ番目の曲率変化点からｎ＋１番目の曲率変化点または前記ポンプブレードの投影像における入口内周端までの前記ポンプシェル側の外縁部である第ｎ投影ポンプ外縁部に比べて小さい曲率半径を有すると共に、前記第ｎ投影タービン外縁部の曲率中心は、前記第ｎ投影ポンプ外縁部の曲率中心よりも前記回転軸心側に位置することを特徴とする流体式トルク伝達装置。
【請求項８】
請求項１から７の何れか一項に記載の流体式トルク伝達装置において、
前記ポンプブレードおよび前記タービンブレードの回転半径と前記ステータブレードの外周端の回転半径との差は、前記ポンプブレードおよび前記タービンブレードの回転半径と前記ステータブレードの内周端の回転半径との差の２分の１よりも小さいことを特徴とする流体式トルク伝達装置。
【発明の詳細な説明】
【技術分野】
【０００１】
本発明は、ポンプシェルとポンプブレードとポンプコアとを含むポンプインペラと、タービンシェルとタービンブレードとタービンコアとを含むタービンランナと、ステータブレードを含むと共にタービンランナからポンプインペラへの作動流体の流れを整流するステータとを備えた流体式トルク伝達装置に関する。
【背景技術】
【０００２】
従来、この種の流体式トルク伝達装置として、フロントカバーと、フロントカバーに固定されたドーナッツ状の羽根車であるポンプ（ポンプインペラ）と、インペラの羽根と互いに対向する羽根を有するドーナッツ状の羽根車であるタービン（タービンランナ）と、インペラとタービンとの間に回転可能に設けられたステータとを備えたトルクコンバータが知られている。この種のトルクコンバータのポンプインペラおよびタービンランナの外郭形状は一般に互いに対称に形成されるが、ポンプインペラおよびタービンランナの外郭形状が互いに非対称に形成されているようにみえるものもある（例えば、特許文献１参照）。
【先行技術文献】
【特許文献】
【０００３】
【特許文献１】特開２００７−１３２４５９号公報
【発明の概要】
【０００４】
ここで、トルクコンバータといった流体式トルク伝達装置を小型化するために、ポンプインペラおよびタービンランナの外郭形状が対称になっているものを単純に縮小化すると、流体式トルク伝達装置のトルク容量が低下してしまう。また、ポンプインペラおよびタービンランナの外郭形状が対称である場合には、タービンの流路入口に対して流路出口で流路断面積が小さくなって流れの剥離が発生することがあるが、ポンプインペラおよびタービンランナの外郭形状が対称になっているものを縮小化すると、このような剥離の問題が発生が助長されてトルク容量がより低下してしまうおそれがある。一方、上記特許文献１に記載のトルクコンバータのように、ポンプインペラおよびタービンランナの外郭形状が互いに非対称に形成されているようにみえるものもあるが、特許文献１は、外郭形状の設計手法を何ら開示してはおらず、特許文献１の記載からは、ポンプインペラおよびタービンランナを非対称化したことが流体式トルク伝達装置の小型化やトルク容量の確保に寄与するか否か不明であり、仮に寄与していたとしても、具体的な設計手法の開示がない以上、実用上満足し得る流体伝動装置を得ることはできない。このように、トルクコンバータのような流体式トルク伝達装置では、トルク容量の確保と装置の小型化とを両立させることは容易なことではない。
【０００５】
そこで、本発明は、トルク容量の低下を抑制しつつ流体式トルク伝達装置の小型化を図ることを主目的とする。
【０００６】
本発明の流体式トルク伝達装置は、上述の主目的を達成するために以下の手段を採っている。
【０００７】
本発明の流体式トルク伝達装置は、
ポンプシェルと該ポンプシェルに取り付けられたポンプブレードと該ポンプブレードに取り付けられたポンプコアとを含むポンプインペラと、タービンシェルと該タービンシェルに取り付けられたタービンブレードと該タービンブレードに取り付けられたタービンコアとを含むタービンランナと、ステータブレードを含むと共に前記タービンランナから前記ポンプインペラへの作動流体の流れを整流するステータとを備えた流体式トルク伝達装置において、
前記タービンランナの流体出口における前記タービンブレードの取付角度は、該タービンランナの流体入口における該タービンブレードの取付角度よりも小さく、
前記タービンランナの前記流体出口で前記タービンブレードの前記タービンシェル側の外郭線と該タービンブレードの前記タービンコア側の内郭線とに内接する内接円の半径は、該タービンランナの流体入口で前記外郭線と前記内郭線とに内接する内接円の半径よりも大きく、
前記タービンブレードの前記外郭線は、前記タービンランナの前記流体出口側で前記ポンプブレードの前記ポンプシェル側の外郭線よりも前記ポンプインペラおよび前記タービンランナの回転軸心の延在方向に膨らんでいることを特徴とする。
【０００８】
この流体式トルク伝達装置では、タービンランナの流体出口におけるタービンブレードの取付角度を小さくしてタービンランナの流体出口から流出する作動流体をステータのステータブレードに当たりやすくすることで、トルクコンバータにおけるトルク増幅性能、特に車両の発進時におけるトルク増幅性能を向上させている。そして、この流体式トルク伝達装置では、タービンランナの流体出口でタービンブレードのタービンシェル側の外郭線とタービンコア側の内郭線とに内接する内接円の半径をタービンランナの流体入口で外郭線と内郭線とに内接する内接円の半径よりも大きくすると共に、タービンブレードの外郭線をタービンランナの流体出口側でポンプブレードのポンプシェル側の外郭線よりもポンプインペラおよびタービンランナの回転軸心の延在方向に膨らませており、これにより、この流体式トルク伝達装置は、ポンプインペラとタービンランナとが非対称化された非対称構造を有し、ポンプインペラ、タービンランナおよびステータにより非対称なトーラス（環状流路）が形成される。このような構成により、タービンランナの流体出口側の領域で互いに隣り合うタービンブレード間に画成される流路の断面積を充分に確保し、タービンランナの流体入口から流体出口までにおける流路断面積の変化幅を小さくすることができる。従って、タービンランナの流体出口におけるタービンブレードの取付角度を小さくしたことに伴うタービンランナの流体出口付近で互いに隣り合うタービンブレード間に画成される流路の断面積の低下、タービンランナの流体出口付近で流れの剥離、トルク容量の低下を抑制しつつ、必要以上にタービンランナを膨らませないようにして流体式トルク伝達装置を小型化することが可能となる。
【０００９】
また、前記流体式トルク伝達装置において、互いに対向する前記ポンプブレードの出口外周端と前記タービンブレードの入口外周端との間の中央と前記ポンプインペラおよび前記タービンランナの回転軸心とを通ると共に該回転軸心と直交する装置中心線から該タービンブレードの前記回転軸心の延在方向に最も遠い最遠部までの長さが前記装置中心線から該ポンプブレードの前記回転軸心の延在方向に最も遠い最遠部までの長さよりも長くなるように構成されてもよい。これにより、タービンランナの流体出口側の領域でタービンブレードの外郭線をポンプブレードの外郭線よりも回転軸心の延在方向により適正に膨らませて、タービンランナの流体入口から流体出口までにおける流路断面積の変化幅をできるだけ小さくすることが可能となる。
【００１０】
更に、前記タービンブレードの前記外郭線は、前記流体出口外周端と前記流体入口外周端とが対向する状態で前記タービンブレードを前記装置中心線と前記回転軸心とを含む平面に投影したときの該タービンブレードの投影像における前記タービンシェル側の外縁であってもよく、前記タービンブレードの前記内郭線は、該タービンブレードを前記平面に投影したときの前記投影像における前記タービンコア側の内縁であってもよく、前記ポンプブレードの前記外郭線は、該ポンプブレードを前記平面に投影したときの該ポンプブレードの投影像における前記ポンプシェル側の外縁であってもよい。
【００１１】
また、前記ポンプインペラの流体入口における前記ポンプブレードの取付角度と該ポンプインペラの流体出口における該ポンプブレードの取付角度との差は、前記タービンランナの流体入口における前記タービンブレードの取付角度と該タービンランナの流体出口における該タービンブレードの取付角度との差よりも小さくてもよい。すなわち、ポンプインペラは、タービンランナからの作動流体をくみ上げて再度タービンランナに供給するものであるから、ポンプブレードの取付角度をタービンブレードの取付角度のように小さくする必要はない。従って、ポンプインペラの流体入口におけるポンプブレードの取付角度と流体出口におけるポンプブレードの取付角度との差をタービンランナの流体入口におけるタービンブレードの取付角度と流体出口におけるタービンブレードの取付角度との差よりも小さくすれば、互いに隣り合うポンプブレード間に画成される流路の断面積の変化幅をより小さくすることができるので、ポンプインペラをタービンランナのように膨らませる必要がなくなり、それにより流体式トルク伝達装置をより一層小型化することが可能となる。
【００１２】
更に、前記タービンブレードの前記外郭線は、前記ポンプブレードの前記外郭線と対称をなす対称領域と該ポンプブレードの該外郭線と対称をなさない非対称領域とを有してもよく、前記対称領域は、前記タービンブレードの流体入口外周端を含んでもよく、前記非対称領域は、前記タービンブレードの流体出口内周端を含んでもよい。これにより、ポンプインペラからタービンランナへの作動流体の流入をスムースなものとしてトルクの伝達ロスを低減することが可能となる。
【００１３】
また、前記出口外周端と前記入口外周端とが対向する状態で前記ポンプブレードおよび前記タービンブレードを前記装置中心線と前記ポンプインペラおよび前記タービンランナの前記回転軸心とを含む平面に投影したときに、前記ポンプブレードの投影像と前記タービンブレードの投影像とは、前記ポンプシェル側または前記タービンシェル側の外縁部に曲率変化点をそれぞれ少なくとも一つ含んでもよく、前記タービンブレードの投影像における最外周側の曲率変化点から一定の曲率をもって延びる前記タービンシェル側の外縁部である投影タービン外縁部は、前記ポンプブレードの投影像における最外周側の曲率変化点から一定の曲率をもって延びる前記ポンプシェル側の外縁部である投影ポンプ外縁部に比べて小さい曲率半径を有してもよく、前記投影タービン外縁部の曲率中心は、前記投影ポンプ外縁部の曲率中心よりも前記回転軸心側に位置してもよい。これにより、装置中心線からタービンブレードの回転軸心の延在方向に最も遠い最遠部までの長さを装置中心線からポンプブレードの回転軸心の延在方向に最も遠い最遠部までの長さよりも長くすることが可能となる。そして、タービンランナの互いに隣り合うタービンブレード間に画成される流路の断面積をタービン入口とタービン出口との間の中央部において充分に確保することができるので、当該流路の中央部における流れの剥離の発生を抑制し、トルクの伝達ロスを低減することが可能となる。
【００１４】
更に、前記タービンブレードの投影像における外周側からｎ番目（ただし“ｎ”は値２以上の整数である）の曲率変化点からｎ＋１番目の曲率変化点または前記タービンブレードの投影像における流体出口内周端までの前記タービンシェル側の外縁部である第ｎ投影タービン外縁部は、前記ポンプブレードの投影像における外周側からｎ番目の曲率変化点からｎ＋１番目の曲率変化点または前記ポンプブレードの投影像における入口内周端までの前記ポンプシェル側の外縁部である第ｎ投影ポンプ外縁部に比べて小さい曲率半径を有してもよく、前記第ｎ投影タービン外縁部の曲率中心は、前記第ｎ投影ポンプ外縁部の曲率中心よりも前記回転軸心側に位置してもよい。これにより、タービンランナの互いに隣り合うタービンブレード間に画成される流路の断面積がタービン出口に向かうにつれて減少するのを抑制することができるので、当該流路のタービン出口側における流れの剥離の発生を抑制し、トルクの伝達ロスを低減することが可能となる。
【００１５】
そして、前記流体式トルク伝達装置は、前記ポンプブレードおよび前記タービンブレードの回転半径と前記ステータブレードの外周端の回転半径との差は、前記ポンプブレードおよび前記タービンブレードの回転半径と前記ステータブレードの内周端の回転半径との差の２分の１よりも小さくてもよい。これにより、タービンランナの互いに隣り合うタービンブレード間に画成される流路のタービン出口側における断面積をより大きくすることが可能となる。
【図面の簡単な説明】
【００１６】
【図１】本発明の実施例に係る流体式トルク伝達装置としてのトルクコンバータ１の概略構成図である。
【図２】タービンブレードの取付角度を説明する説明図である。
【図３】トルクコンバータ１の構成を説明するための模式図である。
【図４】トルクコンバータ１の構成を説明するための模式図である。
【図５】実施例のトルクコンバータ１、従来例のトルクコンバータおよび比較例のトルクコンバータに含まれるポンプインペラの互いに隣り合うポンプブレード間に画成される流路の断面積を示すグラフである。
【図６】実施例のトルクコンバータ１、従来例のトルクコンバータおよび比較例のトルクコンバータに含まれるタービンランナの互いに隣り合うタービンブレード間に画成される流路の断面積を示すグラフである。
【図７】ポンプインペラとタービンランナとの速度比ｅと、実施例のトルクコンバータ１、従来例のトルクコンバータおよび比較例のトルクコンバータの容量係数Ｃとの関係を示すグラフである。
【発明を実施するための形態】
【００１７】
次に、本発明を実施するための形態を実施例を用いて説明する。
【００１８】
図１は、本発明の実施例に係る流体式トルク伝達装置としてのトルクコンバータ１の概略構成図である。同図に示すトルクコンバータ１は、エンジンを備えた車両に適用されるものであり、図１に示されるように、フロントカバー（入力部材）２、ポンプインペラ（流体伝動要素）３、タービンランナ（流体伝動要素）４、タービンハブ（出力部材）５、ステータ６、ダンパユニット７およびロックアップクラッチ機構８を含む。フロントカバー２には、図示されないエンジンの回転軸が固定される。また、タービンハブ５には、図示されない自動変速機（ＡＴ）あるいは無段変速機（ＣＶＴ）のインプットシャフト（図示省略）が固定（スプライン嵌合）される。
【００１９】
ポンプインペラ３は、ポンプシェル３０と、ポンプシェル３０の内面に取り付けられた（固定された）複数のポンプブレード３１と、ポンプブレード３１の内縁に取り付けられた（固定された）ポンプコア３２とを有し、ポンプシェル３０は、フロントカバー２に密に固定される。タービンランナ４は、タービンシェル４０と、タービンシェル４０の内面に取り付けられた（固定された）複数のタービンブレード４１と、タービンブレード４１の内縁に取り付けられた（固定された）タービンコア４２とを有し、タービンシェル４０はタービンハブ５に固定される。フロントカバー２側のポンプインペラ３と、タービンハブ５側のタービンランナ４とは互いに対向し合い、両者の間には、フロントカバー２と同軸に回転可能な複数のステータブレード６１を有するステータ６が配置される。ステータ６は、その回転方向を一方向のみに設定するワンウェイクラッチ６０を有している。これらのポンプインペラ３、タービンランナ４およびステータ６は、作動油（作動流体）を循環させるトーラス（環状流路）を形成し、ステータ６は、タービンランナ４の流体出口であるタービン出口からポンプインペラの流体入口であるポンプ入口への作動油の流れを整流する。ダンパユニット７は、それぞれ複数のスプリング７１，７２を有し、タービンシェル４０と共にタービンハブ５に固定される。ロックアップクラッチ機構８は、ロックアップピストン８０とその表面に貼着された摩擦板８１とを含む。
【００２０】
このように構成されるトルクコンバータ１では、図示されないエンジンが作動されてフロントカバー２およびポンプインペラ３が回転すると、ポンプインペラ３の外周側のポンプ出口からタービンランナ４の外周側のタービン入口への作動油の流れによりタービンランナ４が引きずられるようにして回転し始め、エンジンからの動力は、タービンランナ４（作動油）を介してフロントカバー２からタービンハブ５に伝達される。また、ステータ６は、ポンプインペラ３とタービンランナ４との回転速度差が大きい時に、作動油の流れをポンプインペラ３の回転を助ける方向に変換する。これにより、トルクコンバータ１は、ポンプインペラ３とタービンランナ４との回転速度差が大きい時には、トルク増幅機として作動し、両者の回転速度差が小さくなると、ステータ６がワンウェイクラッチ６０を介して空転することにより流体継手として作動する。そして、車両の発進後、所定の条件が満たされると（例えば、車速が所定値に達すると）、ロックアップクラッチ機構８が作動させられ、エンジンからフロントカバー２に伝えられた動力が、出力部材としてのタービンハブ５に直接伝達されるようになり、それにより、エンジンと変速機の入力軸とが機械的に直結される。また、フロントカバー２からタービンハブ５に伝達されるトルクの変動は、ダンパユニット７によって吸収される。
【００２１】
ここで、実施例のトルクコンバータ１では、予期せぬ共振の発生を抑制すべくポンプインペラ３のポンプブレード３１の数とタービンランナ４のタービンブレード４１の数とを異ならせている（例えば、作動油の掻き出し量を増やすためにポンプブレード３１の数がタービンブレード４１の数よりも若干多めに定められる）。また、タービンシェル４０に対する各タービンブレード４１の取付角度（ブレードに流入した直後の流れの角度）はポンプシェル３０に対する各ポンプブレード３１の取付角度よりも小さく（ねかせ気味に）定められており、各タービンブレード４１には捩りが付与されている。また、実施例では、ポンプ入口におけるポンプブレード３１の取付角度とポンプ出口におけるポンプブレード３１の取付角度との差が、タービン入口におけるタービンブレード４１の取付角度とタービン出口におけるタービンブレード４１の取付角度との差よりも小さく定められている。更に、ポンプインペラ３におけるポンプブレード３１の取付角度の平均値（ポンプ入口から出口までの平均値）は、タービンランナ４におけるタービンブレード４１の取付角度の平均値（ポンプ入口から出口までの平均値）よりも大きく定められている。
【００２２】
なお、タービンブレードの取付角度は、図２に示すようにして求めることができる。すなわち、タービン入口（流体入口）における取付角度（θin）は、
θin＝（θin１＋θin２）/２
として表される。ただし、θin１は、Y方向の垂線に対してタービンブレード入口端点からの接線がなす角度であり、θin２は、タービンブレード入口端点と隣接するブレード外郭線に接する内接円を描いた際に、隣接するブレードと当該内接円との接点に対する接線がY方向の垂線に対してなす角である。また、タービン出口（流体出口）の取付角度（θout）は、
θout＝（θout１＋θout２）/２
として表される。ただし、θout１は、Y方向の垂線に対してタービンブレード出口端点からの接線がなす角度であり、θout２は、タービンブレード出口端点と隣接するブレード外郭線に接する内接円を描いた際に、隣接するブレードと前記内接円との接点に対する接線がY方向の垂線に対してなす角である。そして、タービン出口におけるタービンブレードの取付角度が、タービン入口におけるタービンブレードの取付角度よりも小さいということは、θoutの絶対値がθinの絶対値よりも小さいということを意味する。
【００２３】
更に、実施例では、タービンランナ４の流体出口から流出する作動油がステータ６のステータブレード６１に当たりやすくなるように、タービンランナ４の流体出口であるタービン出口における各タービンブレード４１の取付角度がタービンランナ４の流体入口であるタービン入口における各タービンブレード４１の取付角度よりも小さく定められている。そして、ポンプインペラ３とタービンランナ４とは、従来のトルクコンバータに比べて若干小径化されると共に、従来のトルクコンバータに比べて偏平化されたトーラスを構成するように形成されており、それにより、実施例のトルクコンバータ１は全体にコンパクト化されると共にダンパユニット７の搭載スペースが充分に確保される。ただし、このようにタービン出口における各タービンブレード４１の取付角度を小さくすると共にポンプインペラ３およびタービンランナ４を偏平化、小径化すると、タービン出口付近で互いに隣り合うタービンブレード４１間に画成される流路の断面積が小さくなってしまい、トルク容量の低下を招くばかりか、場合によってはタービン出口付近で流れの剥離が発生してしまうおそれがある。
【００２４】
このため、実施例のトルクコンバータ１を構成するタービンランナ４は、図３に示すように、タービン出口（流体出口）でタービンブレード４１のタービンシェル４０側の外郭線４１ｃｏとタービンコア４２側の内郭線４１ｃｉ（内郭線４１ｃｉの内周端）とに内接する内接円ＩＣｏの半径ｒｏがタービン入口（流体入口）で外郭線４１ｃｏと内郭線４１ｃｉ（内郭線４１ｃｉの外周端）とに内接する内接円ＩＣｉの半径ｒｉよりも大きくなると共に、タービンブレード４１の外郭線４１ｃｏがタービン出口側でポンプブレード３１のポンプシェル３０側の外郭線３１ｃｏよりもポンプインペラ３およびタービンランナ４の回転軸心ＡＣの延在方向に膨らむように構成される。すなわち、実施例のトルクコンバータ１は、ポンプインペラ３とタービンランナ４とが非対称化された非対称構造を有する。
【００２５】
また、図３に示すように、何れかのポンプブレード３１の出口外周端３１ｏと何れかのタービンブレード４１の入口外周端４１ｉとが対向するときに出口外周端３１ｏと入口外周端４１ｉとの間の中点（中央）と回転軸心ＡＣとを通ると共に当該回転軸心ＡＣと直交する直線を「装置中心線ＣＣ」と規定する。装置中心線ＣＣをこのように規定すれば、タービンブレード４１の外郭線４１ｃｏは、出口外周端３１ｏと入口外周端４１ｉとが対向する状態でタービンブレード４１を装置中心線ＣＣと回転軸心ＡＣとを含む平面に投影したときのタービンブレード４１の投影像におけるタービンシェル４０側の外縁となる。また、タービンブレードの内郭線４１ｃｉは、タービンブレード４１を装置中心線ＣＣと回転軸心ＡＣとを含む平面に投影したときのタービンブレード４１の投影像におけるタービンコア４２側の内縁となる。更に、ポンプブレード３１の外郭線３１ｃｏは、ポンプブレード３１を装置中心線ＣＣと回転軸心ＡＣとを含む平面に投影したときのポンプブレード３１の投影像におけるポンプシェル３０側の外縁となる。
【００２６】
実施例では、図３に示すように、装置中心線ＣＣからそれに対応したタービンブレード４１の回転軸心ＡＣの延在方向に最も遠い最遠点（最遠部）４１ｘまでの長さｄｔを装置中心線ＣＣからそれに対応したポンプブレード３１の回転軸心ＡＣの延在方向に最も遠い最遠点（最遠部）３１ｘまでの長さｄｐよりも長くすることで、タービンブレード４１の外郭線４１ｃｏをタービン出口側でポンプブレード３１のポンプシェル３０側の外郭線３１ｃｏよりも回転軸心ＡＣの延在方向に膨らむようにしている。また、出口外周端３１ｏと入口外周端４１ｉとの間の中点を含むと共に回転軸心ＡＣと直交する平面を装置中心面ＰＣと規定すれば、装置中心面ＰＣから各タービンブレード４１の最遠点４１ｘまでの距離（＝ｄｔ）が装置中心面ＰＣから各ポンプブレード３１の最遠点３１ｘまでの距離（＝ｄｐ）よりも長くなり、装置中心面ＰＣからタービンシェル４０の内面の最深部までの距離（＝ｄｔ）が装置中心面ＰＣからポンプシェル３０の内面の最深部までの距離（＝ｄｐ）よりも長くなる。
【００２７】
すなわち、実施例のトルクコンバータ１に含まれるタービンランナ４は、ポンプインペラ３と概ね対称をなすように構成された場合（図３における二点鎖線参照）に比べて、タービン入口とタービン出口との間の中央部付近からタービン出口にかけて回転軸心ＡＣの延在方向かつ外方に拡大（延出）されており、それにより、トルクコンバータ１は装置中心線ＣＣ（装置中心面ＰＣ）に関して非対称なトーラスを有する。加えて、実施例のトルクコンバータ１では、図３に示すように、ポンプブレード３１およびタービンブレード４１の回転半径Ｒｔｐとステータブレード６１の外周端の回転半径Ｒｓｏとの差（Ｒｔｐ−Ｒｓｏ）がポンプブレード３１およびタービンブレード４１の回転半径Ｒｔｐとステータブレード６１の内周端の回転半径Ｒｓｉとの差（Ｒｔｐ−Ｒｓｉ）の２分の１よりも小さくなるようにポンプインペラ３、タービンランナ４およびステータ６の寸法等が定められている。
【００２８】
図４を参照しながら実施例のトルクコンバータ１について更に詳細に説明すると、同図に示すように、出口外周端３１ｏと入口外周端４１ｉとが対向している一対のポンプブレード３１とタービンブレード４１とを装置中心線ＣＣとポンプインペラ３およびタービンランナ４の回転軸心ＡＣとを含む平面に投影したときに、実施例のポンプブレード３１の投影像はポンプシェル３０側の外縁部に３つの曲率変化点Ｃｐ１，Ｃｐ２およびＣｐ３を含み、実施例のタービンブレード４１の投影像はタービンシェル４０側の外縁部に２つの曲率変化点Ｃｔ１およびＣｔ２を含む。従って、回転軸心ＡＣを含む平面でポンプシェル３０を切ったときのポンプシェル３０の断面（シェル内周）には、上記曲率変化点Ｃｐ１，Ｃｐ２およびＣｐ３に対応した３つの曲率変化点が含まれ、回転軸心ＡＣを含む平面でタービンシェル４０を切ったときのタービンシェル４０の断面（シェル内周）には、上記曲率変化点Ｃｔ１およびＣｔ２に対応した２つの曲率変化点が含まれることになる。
【００２９】
そして、実施例では、タービンブレード４１の投影像における入口外周端４１ｉから最外周側の曲率変化点Ｃｔ１までのタービンシェル４０側の外縁部である第０投影タービン外縁部Ｅｔ０の曲率半径ｒｔ０と、ポンプブレード３１の投影像における出口外周端３１ｏから最外周側の曲率変化点Ｃｐ１までのポンプシェル３０側の外縁部である第０投影ポンプ外縁部Ｅｐ０の曲率半径ｒｐ０とが同一の値とされており、両者の曲率中心Ｏｔ０，Ｏｐ０も一致している。従って、回転軸心ＡＣを含む平面でタービンシェル４０を切ったときのタービンシェル４０の断面の上記入口外周端４１ｉに対応した点から上記曲率変化点Ｃｔ１に対応した点までのシェル内周の曲率半径と、回転軸心ＡＣを含む平面でポンプシェル３０を切ったときのポンプシェル３０の断面の上記出口外周端３１ｏに対応した点から上記曲率変化点Ｃｐ１に対応した点までのシェル内周の曲率半径とは互いに同一となる。すなわち、図３に示すように、タービンブレード４１の外郭線４１ｃｏは、ポンプブレード３１の外郭線３１ｃｏと対称をなす対称領域とポンプブレード３１の外郭線３１ｃｏと対称をなさない非対称領域とを有し、対称領域には、タービンブレード４１の入口外周端４１ｉが含まれ、非対称領域には、タービンブレード４１の出口内周端４１ｏが含まれる。なお、本発明における「最外周側の曲率変化点」には、例えばブレードとシェルとを互いに（密に）接合する観点から設けられるものは含まれない。
【００３０】
また、タービンブレード４１の投影像における最外周側の曲率変化点Ｃｔ１から外周側から２番目の曲率変化点Ｃｔ２までのタービンシェル４０側の外縁部である第１投影タービン外縁部Ｅｔ１の曲率半径ｒｔ１は、ポンプブレード３１の投影像における最外周側の曲率変化点Ｃｐ１から外周側から２番目の曲率変化点Ｃｐ２までのポンプシェル３０側の外縁部である第１投影ポンプ外縁部Ｅｐ１の曲率半径ｒｐ１よりも小さく、第１投影タービン外縁部Ｅｔ１の曲率中心Ｏｔ１は、第１投影ポンプ外縁部Ｅｐ１の曲率中心Ｏｐ１よりも回転軸心ＡＣ側に位置している。更に、タービンブレード４１の投影像における外周側から２番目の曲率変化点Ｃｔ２から当該投影像における出口内周端４１ｏまでのシェル側の外縁部である第２投影タービン外縁部Ｅｔ２の曲率半径ｒｔ２は、ポンプブレード３１の投影像における外周側から２番目の曲率変化点Ｃｐ２から３番目の曲率変化点Ｃｐ３までのシェル側の外縁部である第２投影ポンプ外縁部Ｅｐ２の曲率半径ｒｐ２よりも小さく、第２投影タービン外縁部Ｅｔ２の曲率中心Ｏｔ２は、第２投影ポンプ外縁部Ｅｐ２の曲率中心Ｏｐ２よりも回転軸心ＡＣ側に位置している。
【００３１】
すなわち、実施例のトルクコンバータ１において、タービンブレード４１の投影像における外周側からｎ番目（ただし“ｎ”は値１以上の整数である）の曲率変化点Ｃｔnからｎ＋１番目の曲率変化点Ｃｔn+1またはタービンブレード４１の投影像における出口内周端４１ｏまでのシェル側の外縁部である第ｎ投影タービン外縁部Ｅｔnは、ポンプブレード３１の投影像における外周側からｎ番目の曲率変化点Ｃｐnからｎ＋１番目の曲率変化点Ｃｐn+1またはポンプブレード３１の投影像における入口内周端３１ｉまでのシェル側の外縁部である第ｎ投影ポンプ外縁部Ｅｐnに比べて小さい曲率半径を有し、第ｎ投影タービン外縁部Ｅｔnの曲率中心Ｏｔnは、第ｎ投影ポンプ外縁部Ｅｐnの曲率中心Ｏｐnよりも回転軸心ＡＣ側に位置する。これにより、装置中心線ＣＣからそれに対応したタービンブレード４１の回転軸心ＡＣの延在方向に最も遠い最遠点４１ｘまでの長さｄｔを装置中心線ＣＣからそれに対応したポンプブレード３１の回転軸心ＡＣの延在方向に最も遠い最遠点３１ｘまでの長さｄｐよりも長くすることが可能となる。また、回転軸心ＡＣを含む平面でタービンシェル４０を切ったときのタービンシェル４０の断面の上記ｎ番目の曲率変化点Ｃｔnに対応した点からｎ＋１番目の曲率変化点Ｃｔn+1またはタービンブレード４１の投影像における出口内周端４１ｏに対応した点までのシェル内周の曲率半径は、回転軸心ＡＣを含む平面でポンプシェル３０を切ったときのポンプシェル３０の断面の上記ｎ番目の曲率変化点Ｃｐnに対応した点からｎ＋１番目の曲率変化点Ｃｐn+1またはポンプブレード３１の投影像における入口内周端３１ｉに対応した点までのシェル内周の曲率半径よりも小さくなる。更に、回転軸心ＡＣを含む平面でタービンシェル４０を切ったときのタービンシェル４０の断面の曲率変化点Ｃｔnに対応した点からｎ＋１番目の曲率変化点Ｃｔn+1または出口内周端４１ｏに対応した点までのシェル内周の曲率中心は、回転軸心ＡＣを含む平面でポンプシェル３０を切ったときのポンプシェル３０の断面の曲率変化点Ｃｐnに対応した点からｎ＋１番目の曲率変化点Ｃｐn+1または出口内周端４１ｏに対応した点までのシェル内周の曲率中心よりも回転軸心ＡＣ側に位置することになる。
【００３２】
なお、実施例のトルクコンバータ１では、タービンブレード４１の投影像における外周側から２番目（最内周側）の曲率変化点Ｃｔ２から当該投影像における出口内周端４１ｏまでのシェル側の外縁部である第２投影タービン外縁部Ｅｔ２の曲率半径ｒｔ２が、ポンプブレード３１の投影像における外周側から３番目（最内周側）の曲率変化点Ｃｐ３から当該投影像における入口内周端３１ｉまでのシェル側の外縁部である第３投影ポンプ外縁部Ｅｐ３の曲率半径ｒｐ３よりも小さく、第２投影タービン外縁部Ｅｔ２の曲率中心Ｏｔ２は、第３投影ポンプ外縁部Ｅｐ３の曲率中心Ｏｐ３よりも回転軸心ＡＣ側に位置している。これにより、タービンランナ４の互いに隣り合うタービンブレード４１間に画成される流路のタービン出口側における断面積をより大きくすることが可能となる。
【００３３】
図５は、上述のように構成された実施例のトルクコンバータ１、従来例のトルクコンバータおよび比較例のトルクコンバータに含まれるポンプインペラの互いに隣り合うポンプブレード間に画成される流路の断面積を示すグラフであり、図６は、実施例のトルクコンバータ１、従来例のトルクコンバータおよび比較例のトルクコンバータに含まれるタービンランナの互いに隣り合うタービンブレード間に画成される流路の断面積を示すグラフである。なお、図５の横軸は、ポンプ入口からの流路長Ｌｐのポンプ入口からポンプ出口までの総流路長Ｌｐ０に対する比Ｌｐ／Ｌｐ０を示し、図６の横軸は、タービン入口からの流路長Ｌｔのタービン入口からタービン出口までの総流路長Ｌｔ０に対する比Ｌｔ／Ｌｔ０を示す。ここで、従来例のトルクコンバータは、上記ポンプインペラ３に比べて若干外径が大きく、かつ偏平度の低いポンプインペラと、このポンプインペラと概ね対称を成すように構成されたタービンランナとを含むものである。また、比較例のトルクコンバータは、上記ポンプインペラ３と同一のポンプインペラと、このポンプインペラと概ね対称を成すように構成されたタービンランナとを含むものである。
【００３４】
図５からわかるように、従来例のトルクコンバータに含まれるポンプインペラは、外径が若干大きくかつ偏平度が低いことから、実施例や比較例のトルクコンバータに含まれるポンプインペラに比べて互いに隣り合うポンプブレード間に画成される流路の断面積がポンプ入口からポンプ出口までの全域で大きくなっている。そして、実施例のトルクコンバータ１、従来例のトルクコンバータおよび比較例のトルクコンバータの何れにおいても、ポンプインペラの互いに隣り合うポンプブレード間に画成される流路の断面積は、ポンプ入口からポンプ出口にかけて概ね一定となる。
【００３５】
これに対して、図６からわかるように、従前の設計手法に従って製造された従来例や比較例のタービンランナでは、基本的に、タービン入口からタービン出口に向かうにつれて互いに隣り合うタービンブレード間に画成される流路の断面積が小さくなる。これに対して、実施例のトルクコンバータ１に含まれるタービンランナでは、互いに隣り合うタービンブレード間に画成される流路の断面積のタービン入口からタービン出口までにおける変化幅が他に比べて小さくなっており、タービン入口からタービン出口までの中央付近からタービン出口までの領域では、従来例と概ね同様の流路断面積が確保されている。従って、実施例のトルクコンバータ１では、タービン入口からタービン出口までの流路の中央部（図３において破線で囲まれた領域）における流れの剥離の発生や、当該流路のタービン出口側における流れの剥離の発生を抑制し、トルクの伝達ロスを低減することが可能となる。
【００３６】
図７に、ポンプインペラとタービンランナとの速度比ｅと、実施例のトルクコンバータ１、従来例のトルクコンバータおよび比較例のトルクコンバータの容量係数Ｃとの関係を示す。同図において、実施例および比較例のトルクコンバータの容量係数Ｃは、従来例のトルクコンバータの容量係数Ｃを値１としたときの換算値として示される。同図からわかるように、ポンプインペラおよびタービンランナを単純に偏平化（および小径化）しただけでは、トルク容量の低下を免れることができないが（比較例参照）、上記実施例のように、タービンランナの特にタービン入口とタービン出口との間の中央部付近からタービン出口までの領域をトルクコンバータの回転軸心の延在方向かつ外方に拡大（延出）してトーラスを非対称化することにより、従来のトルクコンバータを上回る性能（トルク容量）を得ることができる。
【００３７】
以上説明したように、実施例のトルクコンバータ１では、タービンランナ４の流体出口であるタービン出口におけるタービンブレード４１の取付角度がタービンランナ４の流体入口であるタービン入口におけるタービンブレード４１の取付角度よりも小さくされている。そして、タービン出口でタービンブレード４１のタービンシェル４０側の外郭線４１ｃｏとタービンコア４２側の内郭線４１ｃｉとに内接する内接円ＩＣｏの半径ｒｏがタービン入口で外郭線４１ｃｏと内郭線４１ｃｉとに内接する内接円ＩＣｉの半径ｒｉよりも大きくなっており、タービンブレード４１の外郭線４１ｃｏは、タービン出口側でポンプブレード３１のポンプシェル３０側の外郭線３１ｃｏよりも回転軸心ＡＣの延在方向に膨らんでいる。
【００３８】
このように、タービン出口におけるタービンブレード４１の取付角度をタービン入口におけるタービンブレード４１の取付角度よりも小さくすることで、タービンランナ４から流出する作動油がステータ６のステータブレード６１に当たりやすくなるようにしてトルク増幅性能を向上させることができる。そして、タービン出口でタービンブレード４１の外郭線４１ｃｏと内郭線４１ｃｉとに内接する内接円ＩＣｏの半径ｒｏをタービン入口で外郭線４１ｃｏと内郭線４１ｃｉとに内接する内接円ＩＣｉの半径ｒｉよりも大きくすると共に、タービンブレード４１の外郭線４１ｃｏをタービン出口側でポンプブレード３１のポンプシェル３０側の外郭線３１ｃｏよりも回転軸心ＡＣの延在方向に膨らませることで、タービン出口におけるタービンブレード４１の取付角度を小さくすると共にトーラスを偏平化しても、タービン出口側の領域で互いに隣り合うタービンブレード４１間に画成される流路の断面積を充分に確保し、タービン入口からタービン出口までにおける流路断面積の変化幅を小さくすることができる。これにより、実施例のトルクコンバータ１では、トルク容量の低下を抑制すると共にタービン出口付近での流れの剥離を抑制しながらトルク増幅性能を向上させつつ装置全体の小型化を図ることが可能となる。
【００３９】
そして、上記実施例のトルクコンバータ１は、例えば車速がおよそ１０ｋｍ／ｈと極く低速でロックアップクラッチ機構８によるロックアップが実行される車両に極めて好適なものである。すなわち、このような車両にトルク容量の低下を抑制すると共にトルク増幅性能を向上させることができるトルクコンバータ１を搭載すれば、要求されるトルク容量が小さくなることで、トルク増幅性能を確保可能な範囲内でポンプブレード３１およびタービンブレード４１の回転半径Ｒｔｐをダンパユニット７の回転半径Ｒｄｐ（図１参照）に対して大幅に小さくすることが可能となり、それによりトルクコンバータ１の全体ひいてはトランスミッション全体をより小型化することができる。
【００４０】
また、一対のポンプブレード３１とタービンブレード４１に関して、装置中心線ＣＣからタービンブレード４１の回転軸心ＡＣの延在方向に最も遠い最遠点４１ｘまでの長さｄｔを装置中心線ＣＣからポンプブレード３１の回転軸心ＡＣの延在方向に最も遠い最遠点３１ｘまでの長さｄｐよりも長くすれば、トーラスすなわちポンプインペラ３やタービンランナ４を偏平化、小径化し、タービンブレード４１の取付角度をポンプブレード３１に比べてねかせたとしても、タービン出口側の領域でタービンブレード４１の外郭線４１ｃｏをポンプブレード３１の外郭線３１ｃｏよりも回転軸心ＡＣの延在方向により適正に膨らませて、タービン入口からタービン出口までにおける流路断面積の変化幅をできるだけ小さくすることが可能となる。
【００４１】
更に、ポンプインペラ３は、タービンランナ４からの作動油をくみ上げて再度タービンランナ４に供給するものであるから、ポンプブレード３１の取付角度をタービンブレード４１の取付角度のように小さくする必要はない。従って、ポンプ入口におけるポンプブレード３１の取付角度とポンプ出口におけるポンプブレード３１の取付角度との差をタービン入口におけるタービンブレード４１の取付角度とタービン出口におけるタービンブレード４１の取付角度との差よりも小さくすれば、互いに隣り合うポンプブレード３１間に画成される流路の断面積の変化幅をより小さくすることができるので、ポンプインペラ３をタービンランナ４のように膨らませる必要がなくなり、それによりトルクコンバータ１をより一層小型化することが可能となる。
【００４２】
また、実施例のトルクコンバータ１では、ポンプブレード３１の出口外周端３１ｏとタービンブレード４１の入口外周端４１ｉとが対向する状態で当該ポンプブレード３１および当該タービンブレード４１を装置中心線ＣＣとポンプインペラ３およびタービンランナ４の回転軸心ＡＣとを含む平面に投影したときに、タービンブレード４１の投影像における最外周側の曲率変化点Ｃｔ１から一定の曲率をもって延びるタービンシェル４０側の外縁部である第１投影タービン外縁部Ｅｔ１が、ポンプブレード３１の投影像における最外周側の曲率変化点Ｃｐ１から一定の曲率をもって延びるポンプシェル３０側の外縁部である第１投影ポンプ外縁部Ｅｐ１に比べて小さい曲率半径を有しており（ｒｔ１＜ｒｐ１）、第１投影タービン外縁部Ｅｔ１の曲率中心Ｏｔ１が第１投影ポンプ外縁部Ｅｐ１の曲率中心Ｏｐ１よりも回転軸心ＡＣ側に位置している。これにより、装置中心線ＣＣからタービンブレード４１の回転軸心ＡＣの延在方向に最も遠い最遠点４１ｘまでの長さｄｔを装置中心線ＣＣからポンプブレード３１の回転軸心ＡＣの延在方向に最も遠い最遠点３１ｘまでの長さｄｐよりも長くすることが可能となる。そして、タービンランナ４の互いに隣り合うタービンブレード４１間に画成される流路の断面積をタービン入口とタービン出口との間の中央部において充分に確保することができるので、当該流路の中央部における流れの剥離の発生を抑制し、トルクの伝達ロスを低減することが可能となる。なお、第１投影ポンプ外縁部Ｅｐ１の曲率半径ｒｐ１と第１投影タービン外縁部Ｅｔ１の曲率半径ｒｔ１との差（ｒｐ１−ｒｔ１）は、例えば３０〜４０ｍｍとされると好ましい。
【００４３】
更に、実施例のトルクコンバータ１では、タービンブレード４１の投影像における外周側から２番目の曲率変化点Ｃｔ２から当該投影像における出口内周端４１ｏまでのタービンシェル４０側の外縁部である第２投影タービン外縁部Ｅｔ２が、ポンプブレード３１の投影像における外周側から２番目の曲率変化点Ｃｐ２から３番目の曲率変化点Ｃｐ３までのポンプシェル３０側の外縁部である第２投影ポンプ外縁部Ｅｐ２に比べて小さい曲率半径を有しており（ｒｔ２＜ｒｐ２）、第２投影タービン外縁部Ｅｔ２の曲率中心Ｏｔ２は、第２投影ポンプ外縁部Ｅｐ２の曲率中心Ｏｐ２よりも回転軸心ＡＣ側に位置している。これにより、タービンランナ４の互いに隣り合うタービンブレード４１間に画成される流路の断面積がタービン出口に向かうにつれて減少するのを抑制（減少幅を小さく）することができるので、当該流路のタービン出口側における流れの剥離の発生を抑制し、トルクの伝達ロスを低減することが可能となる。
【００４４】
更に、実施例のトルクコンバータ１では、タービンブレード４１の投影像における入口外周端４１ｉから最外周側の曲率変化点Ｃｔ１までのシェル側の外縁部である第０投影タービン外縁部Ｅｔ０の曲率半径ｒｔ０と、ポンプブレード３１の投影像における出口外周端３１ｏから最外周側の曲率変化点Ｃｐ１までのポンプシェル３０側の外縁部である第０投影ポンプ外縁部Ｅｐ０の曲率半径ｒｐ０とが同一の値とされている。すなわち、タービンブレード４１の外郭線４１ｃｏは、ポンプブレード３１の外郭線３１ｃｏと対称をなす対称領域とポンプブレード３１の外郭線３１ｃｏと対称をなさない非対称領域とを有し、対称領域には、タービンブレード４１の入口外周端４１ｉが含まれ、非対称領域には、タービンブレード４１の出口内周端４１ｏが含まれる。これにより、ポンプインペラ３からタービンランナ４への作動油の流入をスムースなものとしてトルクの伝達ロスを低減することが可能となる。
【００４５】
そして、実施例のトルクコンバータ１では、ポンプブレード３１およびタービンブレード４１の回転半径Ｒｔｐとステータブレード６１の外周端の回転半径Ｒｓｏとの差（Ｒｔｐ−Ｒｓｏ）がポンプブレード３１およびタービンブレード４１の回転半径Ｒｔｐとステータブレード６１の内周端の回転半径Ｒｓｉとの差（Ｒｔｐ−Ｒｓｉ）の２分の１よりも小さくなるようにポンプインペラ３、タービンランナ４およびステータ６の寸法等が定められている。これにより、タービンランナ４の互いに隣り合うタービンブレード４１間に画成される流路のタービン出口側における断面積をより大きくすることが可能となり、当該流路のタービン出口側における流れの剥離の発生を抑制してトルクの伝達ロスを低減することが可能となる。
【００４６】
なお、実施例のトルクコンバータ１において、トルク容量の向上と装置の小型化との両立を図るためには、装置中心線ＣＣからタービンブレード４１の回転軸心ＡＣの延在方向に最も遠い最遠点４１ｘまでの長さｄｔと装置中心線ＣＣからポンプブレード３１の回転軸心ＡＣの延在方向に最も遠い最遠点３１ｘまでの長さｄｐとの比ｄｔ／ｄｐを例えば１．０５≦ｄｔ／ｄｐ≦１．２０の範囲内に定めるとよい。また、トルクコンバータ１の偏平率Λを、Λ＝（ｄｔ＋ｄｐ）／（Ｒｔｐ−Ｒｓｉ）と表した場合、トルクコンバータ１は、例えば０．５≦Λ≦０．７を満たすように構成されると好ましい。更に、上記実施例のポンプブレード３１の投影像はポンプシェル３０側の外縁部に３つの曲率変化点Ｃｐ１，Ｃｐ２およびＣｐ３を含み、上記実施例のタービンブレード４１の投影像はタービンシェル４０側の外縁部に２つの曲率変化点Ｃｔ１およびＣｔ２を含んでいるが、ポンプブレード３１およびタービンブレード４１の投影像における曲率変化点の数はこれに限られるものではなく、任意に定められてよい。
【００４７】
以上、実施例を用いて本発明の実施の形態について説明したが、本発明は上記実施例に何ら限定されるものではなく、本発明の要旨を逸脱しない範囲内において、様々な変更をなし得ることはいうまでもない。
【産業上の利用可能性】
【００４８】
本発明は、トルクコンバータのような流体式トルク伝達装置の製造分野等において利用可能である。
【図１】
0005494670.tif 000002
【図３】
0005494670.tif 000003
【図４】
0005494670.tif 000004
【図５】
0005494670.tif 000005
【図６】
0005494670.tif 000006
【図７】
0005494670.tif 000007
【図２】
0005494670.tif 000008